(57)【要約】【課題】主に、建築現場にて短時間且つ容易に耐火施工および雨仕舞を行うことなどができるようにする。【解決手段】耐火建築物１の雨仕舞方法は、基礎２２の上に、柱３と、床梁７ａと、床２３とが下側から順に施工された最下階２１を有する建物構造体２４に対し、  外壁４に面した柱３に柱用の耐火被覆材８を施工する工程と、  耐火被覆材８が施工された柱３の外側に外壁４を取付ける工程と、  外壁４の上部と床梁７ａとの隙間に防水テープ２６を貼る工程と、を続けて行うことで、  耐火被覆材８と外壁４とによって最下階２１の耐火施工を行うと共に、外壁４と防水テープ２６とによって最下階２１の仮雨仕舞いを行うようにする。【選択図】図３
2020133172.tif 000002
【特許請求の範囲】
【請求項１】
基礎の上に、柱と、床梁と、床とが下側から順に施工された最下階を有する建物構造体に対し、
外壁に面した前記柱に柱用の耐火被覆材を施工する工程と、
前記耐火被覆材が施工された前記柱の外側に前記外壁を取付ける工程と、
前記外壁の上部と前記床梁との隙間に防水テープを貼る工程と、を続けて行うことで、
前記耐火被覆材と前記外壁とによって最下階の耐火施工を行うと共に、前記外壁と前記防水テープとによって最下階の仮雨仕舞いを行うことを特徴とする耐火建築物の雨仕舞方法。
【請求項２】
仮雨仕舞いがなされた下側の柱の上に、下側の床梁と、下側の床と、上側の柱と、上側の床梁と、上側の床とが下側から順に施工された中間階を有する建物構造体に対し、
下側の床梁に梁用の耐火被覆材を施工すると共に、外壁に面した上側の柱に柱用の耐火被覆材を施工する工程と、
前記耐火被覆材が施工された下側の床梁および上側の柱の外側に前記外壁を取付ける工程と、
前記外壁の上部と上側の床梁との隙間に防水テープを貼る工程と、を続けて行うことで、
前記耐火被覆材と前記外壁とによって中間階の耐火施工を行うと共に、前記外壁と前記防水テープとによって中間階の仮雨仕舞いを行うことを特徴とする耐火建築物の雨仕舞方法。
【請求項３】
仮雨仕舞いがなされ、外壁が取付けられた建物構造体上に、屋根梁と、屋根とが下側から順に施工された最上階に対し、
前記屋根梁に梁用の耐火被覆材を施工する工程と、
前記屋根に敷設された防水シートを前記外壁の上部と重なるように垂らす工程と、
前記防水シートの下部を前記外壁の上部外面に防水テープで貼る工程と、を続けて行うことで、
前記耐火被覆材によって最上階の耐火施工を行うと共に、前記防水シートと前記外壁と前記防水テープとによって最上階の仮雨仕舞いを行うことを特徴とする耐火建築物の雨仕舞方法。
【請求項４】
請求項１ないし請求項３のいずれか１項に記載の耐火建築物の雨仕舞方法であって、
前記柱、前記床梁または前記屋根梁の少なくとも１つに対し、前記耐火被覆材の施工前に、予め取付金具を取付けることを特徴とする耐火建築物の雨仕舞方法。
【発明の詳細な説明】
【技術分野】
【０００１】
この発明は、耐火建築物の雨仕舞方法に関するものである。
【背景技術】
【０００２】
敷地面積が小さい土地や、建ぺい率や地価が高い都市部などの土地では、３・４階建の建築物などが多く見られる。この３・４階建の建築物を共同住宅や防火地域の住宅とする場合には、耐火１時間構造を有する耐火建築物にする必要がある（例えば、特許文献１、２参照）。
【先行技術文献】
【特許文献】
【０００３】
【特許文献１】特開平０５−７１１６９号公報
【特許文献２】特開平０７−１５０６５２号公報
【発明の概要】
【発明が解決しようとする課題】
【０００４】
上記特許文献１に記載された耐火建築物では、珪酸カルシウム板と、繊維補強セメントボードもしくは抄造石膏ボ−ドとを予め工場にて一体化した複合板によって柱や梁を覆うようにしていた。
【０００５】
また、上記特許文献２に記載された耐火建築物では、鉄骨に予め耐火被覆を設けるようにしていた。そのため、鉄骨の輸送時に耐火被覆を潰さないようにする保護手段などが必要になっている。
【０００６】
そして、特許文献１および特許文献２のものは、いずれも工場で複合板や耐火被覆を施工するものとなっていたため、建築現場にて短時間且つ容易に耐火施工および雨仕舞を行うことはできなかった。
【０００７】
そこで、本発明は、主に、上記した問題点を解決することを目的としている。
【課題を解決するための手段】
【０００８】
上記課題を解決するために、本発明は、
基礎の上に、柱と、床梁と、床とが下側から順に施工された最下階を有する建物構造体に対し、
外壁に面した前記柱に柱用の耐火被覆材を施工する工程と、
前記耐火被覆材が施工された前記柱の外側に前記外壁を取付ける工程と、
前記外壁の上部と前記床梁との隙間に防水テープを貼る工程と、を続けて行うことで、
前記耐火被覆材と前記外壁とによって最下階の耐火施工を行うと共に、前記外壁と前記防水テープとによって最下階の仮雨仕舞いを行う耐火建築物の雨仕舞方法を特徴とする。
【発明の効果】
【０００９】
本発明によれば、上記構成によって、建築現場にて短時間且つ容易に耐火施工および雨仕舞を行うことなどができる。
【図面の簡単な説明】
【００１０】
【図１】本実施の形態にかかる耐火建築物の横断面図である。
【図２】柱に対する耐火被覆材の取付け方の変形例を示す横断面図である。
【図３】最下階に対して仮雨仕舞いを行う工程を示す図である。このうち、（ａ）は耐火被覆材の取付け前の状態、（ｂ）は耐火被覆材の取付け後の状態、（ｃ）は外壁の取付け後の状態、（ｄ）は防水テープの取付け後の状態である。
【図４】図３（ｂ）によって耐火被覆材を一部取付けた柱の状態を示す斜視図である。
【図５】中間階に対して仮雨仕舞いを行う工程を示す図である。このうち、（ａ）は耐火被覆材の取付け前の状態、（ｂ）は耐火被覆材の取付け後の状態、（ｃ）は外壁の取付け後の状態、（ｄ）は防水テープの取付け後の状態である。
【図６】最上階に対して仮雨仕舞いを行う工程を示す図である。このうち、（ａ）は耐火被覆材の取付け前の状態、（ｂ）は耐火被覆材の取付け後の状態、（ｃ）は防水テープの取付け後の状態である。
【発明を実施するための形態】
【００１１】
以下、本実施の形態を、図面を用いて詳細に説明する。
図１〜図６は、この実施の形態を説明するためのものである。
【実施例１】
【００１２】
＜構成＞以下、構成について説明する。
図１は、この実施例にかかる耐火建築物１の横断面図である。この耐火建築物１は、例えば、鉄骨造の３・４階建の建物などとされており、耐火１時間構造を有している。
【００１３】
この耐火建築物１は、室内２に柱３の形を出さずに、外壁４の厚みを抑えるために、ウェブ部５と一対のフランジ部６とを有するＨ型鋼の柱３や梁７を用いた一方向ラーメン構造としている。
【００１４】
そして、柱３の全周を耐火被覆材８で被覆し、柱３の耐火被覆材８と外壁４とを密着させることで、内壁１１と外壁４との間の総厚１２を抑制できるようにしている。内壁１１は鋼製の間柱１３を介して柱３や梁７の室内２側に取付けられる。Ｈ型鋼の柱３に耐火被覆材８を被覆する際には、認定上、ウェブ部５の両面にピン１４で固定する必要があるため、外壁４の取付け前に柱３に耐火被覆材８を取付けるようにする。これにより、メンブレン＋柱梁耐火単体構造の耐火１時間構造となり、住宅に求められるデザイン自由度の高い各種の外壁４を使用することなどが可能になる。
【００１５】
なお、耐火被覆材８を柱３のウェブ部５の両面にピン１４で固定する代わりに、例えば、図２に示すように、耐火被覆材８を柱３のウェブ部５の片面のみにピン１４で固定するようにすれば、工期を短縮することが可能になる。
【００１６】
この際、外壁４や雨仕舞完了前の耐火被覆材８が露出している期間に雨が降ると、耐火被覆材８が濡れてしまうことになる。そして、耐火被覆材８に水分を含んだまま、建物（耐火建築物１）を仕上げると、壁内結露やカビの原因となる等、耐火建築物１の品質上の問題が生じる。そこで、この実施例では、建築現場にて以下のような工程で耐火建築物１の雨仕舞方法を行う。
【００１７】
（１）まず、図３を用いて、最下階２１の場合について説明する。
【００１８】
図３（ａ）に示すような、基礎２２の上に、柱３と、床梁７ａ（梁７）と、床２３とが下側から順に施工された最下階２１を有する建物構造体２４に対し、
図３（ｂ）に示すように、外壁４に面した柱３に柱用の耐火被覆材８を施工する工程（図４参照）と、
図３（ｃ）に示すように、耐火被覆材８が施工された柱３の外側に外壁４を取付ける工程と、
図３（ｄ）に示すように、外壁４の上部と床梁７ａとの隙間に防水テープ２６を貼る工程と、を続けて行うことで、
耐火被覆材８と外壁４とによって最下階２１の耐火施工を行うと共に、外壁４と防水テープ２６とによって最下階２１の仮雨仕舞いを行うようにする。
【００１９】
ここで、基礎２２は、地面に対して建物（耐火建築物１）を支えるために設けられるものである。
【００２０】
耐火被覆材８を施工する柱３は、全ての柱３としても良いが、外壁４に面した必要最低限のものとすれば良い。
【００２１】
床梁７ａは、建物（耐火建築物１）に設けられる梁７のうち、床２３を支持するためのものである。
【００２２】
床２３は、例えば、撥水加工したＡＬＣや、コンクリートパネルなどで構成することができる。
【００２３】
建物構造体２４は、建物（耐火建築物１）の基本となる構造部分のことでる。
【００２４】
柱用の耐火被覆材８は、巻き付けタイプのものであればどのようなものであっても良いが、例えば、耐熱ロックウールの表面に着色不織布を施したものなどとすることができる。耐火被覆材８は、少なくとも柱３のウェブ部５にピン１４で固定する。耐火被覆材８は、更に、柱３のフランジ部６に対してもピン１４で固定しても良い。
【００２５】
防水テープ２６は、防水性を有するテープのことであり、どのようなものであっても良い。
【００２６】
（２）次に、図５を用いて、中間階３１の場合について説明する。
【００２７】
図５（ａ）に示すような、既に仮雨仕舞いがなされた下側の柱３の上に、下側の床梁７ａと、下側の床２３と、上側の柱３と、上側の床梁７ａと、上側の床２３とが下側から順に施工された中間階３１を有する建物構造体２４に対し、
図５（ｂ）に示すように、下側の床梁７ａに梁用の耐火被覆材８を施工すると共に、外壁４に面した上側の柱３に柱用の耐火被覆材８を施工する工程と、
図５（ｃ）に示すように、図５（ｂ）で耐火被覆材８が施工された下側の床梁７ａおよび上側の柱３の外側に外壁４を取付ける工程と、
図５（ｄ）に示すように、外壁４の上部と上側の床梁７ａとの隙間に防水テープ２６を貼る工程と、を続けて行うことで、
耐火被覆材８と外壁４とによって中間階３１の耐火施工を行うと共に、外壁４と防水テープ２６とによって中間階３１の仮雨仕舞いを行うようにする。
【００２８】
ここで、耐火被覆材８を施工する下側の梁７は、外壁４に面した必要最低限のものとすれば良い。梁用の耐火被覆材８は、柱用の耐火被覆材８と同じものを使用することができる。なお、その他の構成については、最下階２１の場合と同様である。
【００２９】
（３）最後に、図６を用いて、最上階４１の場合について説明する。
【００３０】
図６（ａ）に示すような、既に仮雨仕舞いがなされ、外壁４が取付けられた建物構造体２４の上に、屋根梁７ｂと、屋根４２とが下側から順に施工された最上階４１に対し、
図６（ｂ）に示すように、屋根梁７ｂに梁用の耐火被覆材８を施工する工程と、
屋根４２に敷設された防水シート４３を外壁４の上部と重なるように垂らす工程と、
図６（ｃ）に示すように、防水シート４３の下部を外壁４の上部外面に防水テープ２６で貼る工程と、を続けて行うことで、
耐火被覆材８によって最上階４１の耐火施工を行うと共に、防水シート４３と外壁４と防水テープ２６とによって最上階４１の仮雨仕舞いを行うようにする。
【００３１】
ここで、屋根梁７ｂは、建物（耐火建築物１）に設けられる梁７のうち、屋根４２を支持するためのものである。耐火被覆材８を施工する屋根梁７ｂは、全ての梁７としても良いが、外壁４に面した必要最低限のものとすれば良い。
【００３２】
屋根４２は、ルーフィング材などの防水シート４３を長めに確保しておくようにする。その後、屋根梁７ｂの位置に、化粧材や外壁などを取付け、屋根４２の外周部を後施工で仕上げるようにする。なお、その他の構成については、最下階２１や中間階３１の場合と同様である。
【００３３】
（４）上記各場合において、柱３、床梁７ａまたは屋根梁７ｂの少なくとも１つに対し、耐火被覆材８の施工前に、予め取付金具５１を取付けるようにしても良い。
【００３４】
ここで、取付金具５１は、柱３や床梁７ａまたは屋根梁７ｂに対して、外壁４や、屋根４２や、バルコニーなどのような柱３、床梁７ａまたは屋根梁７ｂに取付く部材を取付けるためのものなどとすることができる。なお、取付金具５１と干渉する部分では、耐火被覆材８に切り込みなどを入れて、取付金具５１を耐火被覆材８の外部へ取り出せるようにする。
【００３５】
＜作用効果＞この実施例によれば、以下のような作用効果を得ることができる。
【００３６】
耐火建築物１の最下階２１および中間階３１に対しては、耐火被覆材８を施工する工程と、外壁４を取付ける工程と、防水テープ２６を貼る工程と、を続けて行うようにする。これにより、耐火被覆材８と外壁４とによって耐火施工を行うと共に、外壁４と防水テープ２６とによって仮雨仕舞いを行うことができる。
【００３７】
また、耐火建築物１の最上階４１に対しては、耐火被覆材８を施工する工程と、防水シート４３を垂らして防水テープ２６を貼る工程と、を続けて行うようにする。これにより、耐火被覆材８によって耐火施工を行うと共に、防水シート４３と外壁４と防水テープ２６とによって仮雨仕舞いを行うことができる。
【００３８】
よって、建築現場にて容易且つ短時間のうちに耐火施工および雨仕舞を行うことが可能になる。
【００３９】
そして、耐火施工とほぼ同時に仮雨仕舞いを行うようにしているので、例えば、雨が入り難いように屋根４２などに長めの庇などを設ける必要をなくすことができる。また、耐火被覆材８が雨に濡れることがないので、自然乾燥やジェットヒーターなどにより強制的な乾燥などを行う必要がなく、強制的な乾燥による建物形状や施工工程への影響もない。更に、耐火被覆材８などに雨が掛からないように雨養生シートなどで覆う必要がないので、材料費や施工手間が掛からず、また、風でシートが外れたり、音が発生して近所迷惑になったりするおそれもない。よって、安定した状態で、耐火施工および雨仕舞を行うことが可能になる。
【００４０】
そして、耐火施工とほぼ同時に仮雨仕舞いを行うので、耐火施工中に急な雨が降った場合でも、耐火被覆材８を取付けた部分に速やかに外壁４を取付けることで仮雨仕舞いが可能になる。
【００４１】
また、各階ごとに独立して仮雨仕舞いを完結できるため、夜間などに雨が降った場合でも、耐火被覆材８や室内２の資材などを濡らすことがない。
【００４２】
この際、外壁４の取付と並行作業となる耐火被覆材８の工事を必要最低限の内容にすることで、一般的な３・４階建の戸建住宅の規模であれば１日で１階層分全ての外壁４施工と仮雨仕舞いを完結できる。
【００４３】
外壁４の取付と並行作業となる耐火被覆材８の工事を必要最低限の施工範囲にすることで、施工内容も単純化できるため、外壁４の取付けを行う多能工による作業が可能となり、工期短縮が図れる。
【００４４】
そして、柱３の全周に耐火被覆材８を施工した後で柱３の耐火被覆材８と密着するように外壁４を取付けることで、柱梁耐火単体構造としながら壁厚（総厚１２）を抑えることができるため、雨にも濡らさない高品質な建物（耐火建築物１）を提供できる。
【００４５】
柱３の全周に耐火被覆材８を施工した後で柱３の耐火被覆材８と密着するように外壁４を取付けることで、数多くの種類の外壁材の中から最適なものを選択することができるため、顧客の要望に柔軟に対応できる。そして、耐火建築物１とすることが必要な防火地域の街並みや、共同住宅の外観のデザイン性が高くなる。
【００４６】
柱３の全周に耐火被覆材８を施工した後で柱３の耐火被覆材８と密着するように外壁４を取付けることで、外壁４を軽い外壁材によって構成できるため、外壁４の施工性が良くなり、外壁４による建物構造体２４への負担も小さくなるので、合理的である。
【００４７】
そして、仮雨仕舞が完成すれば、室内２の施工に取り掛かれるため、着工から仮雨仕舞完成までの工期短縮は建物全体の工期短縮に大きく貢献できる。また、各階ごとに仮雨仕舞が完結することで、屋根面の仮雨仕舞の完成を待たずに、室内２作業に取り掛かることができる。
【００４８】
また、耐火建築物１の雨仕舞方法では、柱３、床梁７ａまたは屋根梁７ｂの少なくとも１つに対し、耐火被覆材８の施工前に予め、取付金具５１を取付けるようにしても良い。これにより、耐火被覆材８で被覆された状態であっても、柱３、床梁７ａまたは屋根梁７ｂに取付く部材を速やかに取付けることが可能となる。柱３、床梁７ａまたは屋根梁７ｂに取付く部材は、例えば、外壁４や、屋根４２や、バルコニーなどとすることができる。
【符号の説明】
【００４９】
３    柱
４    外壁
７ａ  床梁
７ｂ  屋根梁
８    耐火被覆材
２１  最下階
２２  基礎
２３  床
２４  建物構造体
２６  防水テープ
３１  中間階
４１  最上階
４２  屋根
４３  防水シート
５１  取付金具
【図１】
2020133172.tif 000003
【図２】
2020133172.tif 000004
【図３】
2020133172.tif 000005
【図４】
2020133172.tif 000006
【図５】
2020133172.tif 000007
【図６】
2020133172.tif 000008